(57)【特許請求の範囲】
【請求項１】
貼付剤の保護シートの端部を固定する固定部と、貼付剤の粘着剤塗布シートを押圧する押圧部とからなる貼付材であって、ロールが、貼付剤の保護シートの端部を固定するロールと、貼付剤の粘着剤塗布シートを押圧するロールのみからなることを特徴とする貼付材。
【請求項２】
貼付剤が貼付薬であることを特徴とする請求項１に記載の貼付材。
【発明の詳細な説明】
【０００１】
【発明の属する技術分野】
この出願発明は、貼付剤、とくに、貼付薬を貼付する貼付材に関する。
【０００２】
【従来の技術】
貼付剤は、粘着剤塗布シートと保護シートからなっており、貼付剤を貼付するときは、保護シートを粘着剤塗布シートから剥離して貼付している。
しかし、粘着剤塗布シートを平らに貼付することは難しく、また、手の届きにくい場所に貼付剤を平らに貼付することは困難であり、とくに、貼付薬の場合には、背中の患部に貼付することが困難であるため、通常は、他人に貼付してもらわなければならないのが現状である。
また、保護シートを剥離した保護シートのない粘着剤塗布シートはべたべたしているので、保護シートを外して貼付するまでの間に、貼付する場所以外の場所に貼付してしまうことがあるので、貼付する場所以外の場所には貼付しないように気を付けなければならないという問題がある。
【０００３】
【発明が解決しようとする課題】
この出願発明者は、このような問題を解決するためにいろいろ検討した結果、貼付剤の保護シートの固定部と粘着剤塗布シートを押圧する押圧部を有する貼付材により、貼付剤、とくに、貼付薬を患部に平坦に貼付できることを見い出したものであり、手の届きにくい場所、とくに、背中のような手の届きにくい患部に貼付薬を貼付する貼付材を提供することを目的とするものである。また、貼付薬を貼付する直前に保護シートを剥離することにより患部以外の場所に保護シートを剥離した粘着剤塗布シートが接着しない貼付材を提供することを目的とする。
【０００４】
【課題を解決するための手段】
この出願発明は、貼付剤の保護シートの端部を固定する固定部と、貼付剤の粘着剤塗布シートを押圧する押圧部とからなる貼付材であって、ロールが、貼付剤の保護シートの端部を固定するロールと、貼付剤の粘着剤塗布シートを押圧するロールのみからなる貼付材に関する。
【０００５】
【発明の実施の形態】
この出願発明の貼付材は、ロールからなることが好ましい。
ロールは、図１、２に示すように２本のロールからなり、その１方のロールに固定部が設けられており、他のロールが粘着剤塗布シートを押圧する押圧部であることがとくに好ましい。
保護シートを固定部に固定し、粘着剤塗布シートの端部を貼付する場所に貼付することにより、貼付材の移動と共に、固定部の設けられたロールにより保護シートを巻きとり、他の１本のロールにより粘着剤塗布シートを患部に粘着剤塗布シートを押しつけて貼付し、平らにならすことができる。
【０００６】
また、この２本のロールは、図３に示すように２本のロールがそれぞれ歯車によって反対方向に回転をするように構成されていることがとくに好ましい。
歯車は、ロールの両端に設けられていればよいが、全体についていてもよい。
この歯車により二つのロールは反対方向に正確に回転することができるので、固定部が設けられているロールに、ロールの回転によって剥離した保護シートを巻きとることができる。
固定部は、ロールに固着されていてもよいし、図１、２に示すように着脱自在であってもよいが、ロールに沿った円弧状であることが好ましく、弾性の材料を利用したものであることがとくに好ましい。
また、ロールの軸方向にスリットをいれ、そのスリットに保護シートの端部を挿入するようにしてもよい。
固定部は、保護シートをいずれの方向からでも固定できることが好ましい。
貼付剤の固定の方向を変えることにより、貼付材をいずれの方向に移動しても、例えば、押してもあるいは引いても貼付剤を貼付することができる。
固定部が設けられているロールは、着脱自在になっていてもよい。
着脱自在であることにより、予め固定部に保護シートを固定した予備のロールを支持材に取り付け、直ちにつぎの貼付材を貼付することができる。
また、２つのロールは、貼付剤を取り付けるときにロールの間隔を、例えば、弾性を利用することなどにより押し広げられることが、貼付剤を取り付けやすいので好ましい。
【０００７】
保護シートの固定部は、とくに限定されないが、シートの端部を挟むもの、隙間にシートの端部を差し込むもの、粘着テープで固定するものが好ましく、シートの端部を挟むものがとくに好ましい。
シートの端部を挟むものとしては、弾性を利用したものが構造が簡単であるのでとくに好ましい。
【０００８】
貼付剤は、保護シートのあるものであればとくに限定されず、貼付薬、窓ガラスのフィルム、壁紙、両面テープ、事務用品などが好ましく、貼付薬がとくに好ましい。
この出願発明の貼付材により、手の届かない場所、とくに貼付薬は、背中に人の手を借りずに簡単にしかも平坦に貼付することができる。
【０００９】
この出願発明の貼付材を使用して貼付するときは、貼付剤の保護シートを剥離して固定部に保護シートの端部を固定し、一方、粘着剤塗布シートを貼付する場所に貼付し、貼付する場所に貼付材を圧しつけながら移動させることにより貼付剤を貼付する場所に貼付する。
貼付材の移動は、貼付する場所に圧しつけながら押してもよいし、貼付する場所に圧しつけながら貼付材を引っ張ってもよいが、貼付薬を背中に貼付するときは押して貼付することが好ましい。
【００１０】
貼付材の形状は、四角形であることがとくに好ましい。
四角形であることにより、とくに背中に貼付薬を貼付するときに、貼付する角度を正しくすることができる。
【００１１】
貼付剤を貼付するには、図４に示すように、貼付薬の保護シートを剥離してその端部を貼付材の固定部に固定し、ついで粘着剤塗布シートの端部を患部に貼付して固定し、ついで貼付材を移動することにより保護シートから粘着剤塗布シートを剥離して患部に貼付薬を貼付する。
【００１２】
貼付材を使用するときは圧しつけながら押したり、あるいは圧しつけながら引いたりして貼付するが、移動する方向を変える場合は、ロールのときは、貼付材のロール間に貼付剤を挿入する方向を反対にして固定すればよい。
【実施例】
以下、実施例によって、この出願発明を具体的に説明する。
図１はこの出願発明のロールを利用した貼付材の斜視図であり、図２はこの出願発明のロールを利用した貼付材の側面図であり、図３は図１、２の貼付材のロールの部分拡大図であり、図４はこの出願発明の貼付材を利用して貼付薬を貼付するときの状態を示す図である。
また、１は貼付材を、２は貼付薬を、３、４はロールを、５は固定部を、６は把持部を、７はロール支持部を、８は粘着剤塗布シートを、９は保護シートを、１０は背中をそれぞれ示す。
【００１３】
実施例１
図１、２、３に示す貼付材について説明する。
図１、２に示すように、この貼付材１は、円弧状の着脱自在の固定部５が弾性によって取り付けられているロール３と貼付薬２を患部に押しつけるロール４がロール支持部７によって支持されており、ロール支持部７には把持部６が四角形状に形成されている。
また、図３に示すように、ロール３、４には歯車が設けられている。
貼付薬２を貼付するときは、貼付薬２を支持部７側からロール３、４間に挿入し、貼付薬２の保護シート９を弾性のある固定部５により固定し、粘着剤塗布シート８の端部を患部に貼付する。
ついで、貼付材１を患部に圧しつけながら押して移動すると、保護シート９が剥離した粘着剤塗布シート８の端部が患部に貼付され固定されているので、貼付材１の移動と共に貼付薬２は引き出されて貼布する場所に圧しつけられ貼付される。
また、ロールの歯車により、二つのロール３、４は互いに反対側に回転し、固定部５に固定された保護シート９は固定部５が設けられているロール３に順次巻き取られる。また、保護シート９が剥離された粘着剤塗布シート８は、貼付材１の移動と共に図４に示すように背中１０にロール４により圧しつけられて平坦に貼付される。
図１、２、４の貼付材１の場合には、把持部６によって貼付材１を背中１０に圧しつけながら押すことにより粘着剤塗布シート８を背中１０に貼付する。
また、貼付材１を引っ張りながら粘着剤塗布シート８を貼付するときは、貼付薬２をロール３、４間に反対側から挿入し、保護シート９を固定部５に固定し、粘着剤塗布シート８の端部を患部に貼付し、把持部６によって貼付材１を患部に圧しつけながら引っ張ることにより貼付薬２を貼付する。
【００１４】
【発明の効果】
この出願発明の貼付材は、背中のような手の届きにくい場所に貼付薬を貼付することができ、しかも、貼付薬を平坦に正しい位置に貼付することができる。
また、貼付薬を貼付する直前に保護シートを貼付薬から剥離するので、保護シートを剥離した後に、貼付薬が患部以外の場所に接着しないようにすることができる。
【図面の簡単な説明】
【図１】  この出願発明のロールを利用した貼付材の斜視図
【図２】  この出願発明のロールを利用した貼付材の側面図
【図３】  図１、２の貼付材のロールの部分拡大図
【図４】  この出願発明の貼付材を利用して貼付薬を貼付するときの状態を示す図
【符号の説明】
１  貼付材
２  貼付薬
３  ロール
４  ロール
５  固定部
６  把持部
７  ロール支持部
８  粘着剤塗布シート
９  保護シート
１０  背中
【図１】
0003976091.tif 000002
【図２】
0003976091.tif 000003
【図３】
0003976091.tif 000004
【図４】
0003976091.tif 000005